(57)【特許請求の範囲】
【請求項１】
嵌合穴が形成されたパネルと、
前記パネルの背面側から前記嵌合穴に嵌合された状態で、前記パネルの背面側に設置されたスイッチを操作する方向へ移動可能な操作ボタンと、
前記操作ボタンの前面に形成され、前記パネルの背面側に設置された光源が発する光を透過させて前記パネルの前面側に照射する光透過部と、
前記操作ボタンの側面のうち、前記光源に近い背面側の側面が、前記パネルに近い前面側の側面より、当該操作ボタンの前面側から見て外側へ突出した形状の段差部と、
前記パネルの背面から突出して先端部が前記段差部に向かい合い、前記操作ボタンの側面のうち前記パネルに近い前面側の側面を被覆する遮光用リブとを備える電子機器。
【請求項２】
前記段差部から前記パネルに向かって突出し、前記操作ボタンの側面のうち前記パネルに近い前面側の側面との間に前記遮光用リブを挟む形状の壁部を備えることを特徴とする請求項１記載の電子機器。
【請求項３】
前記パネルの背面から突出し、前記操作ボタンを収容する収容部と、
前記操作ボタンまたは前記収容部の一方に形成され、前記操作ボタンの移動をガイドするガイドリブと、
前記操作ボタンまたは前記収容部の他方に形成され、前記ガイドリブが、前記操作ボタンの移動方向に移動可能に嵌合されるガイドレールとを備えることを特徴とする請求項１記載の電子機器。
【請求項４】
前記パネルの背面から突出し、前記操作ボタンを収容する収容部と、
前記操作ボタンまたは前記収容部の一方に形成され、前記操作ボタンの前記収容部からの脱落を防止する脱落防止用爪と、
前記操作ボタンまたは前記収容部の他方に形成され、前記脱落防止用爪が、前記操作ボタンの移動方向に移動可能に嵌合される脱落防止用穴とを備えることを特徴とする請求項１記載の電子機器。
【発明の詳細な説明】
【技術分野】
【０００１】
この発明は、照明機能付きのプッシュ式スイッチ装置を備えた電子機器に関するものである。
【背景技術】
【０００２】
例えば、特許文献１に記載されたプッシュ式スイッチ装置は、表示面を有する操作ボタンがスイッチケースに収納され、スイッチケースの背面側に設けた光源から発せられる光により、操作ボタン内を通して表示面を背面側から透過照明する構成である。操作ボタンの表示面側は、電子機器の意匠用パネルに形成された穴に、当該パネルの背面側から嵌合される。スイッチケースは、パネルの背面側に固定される。
【０００３】
上記プッシュ式スイッチ装置において、光源から発せられる光が操作ボタンの外へ漏れると、操作ボタンとスイッチケースとパネルの穴との間に存在する隙間からパネル前面側へ漏れてしまう。そこで、特許文献１に記載されたプッシュ式スイッチ装置においては、スイッチケース内の背面側に形成された、操作ボタンの背面側端部の内側に位置する形状の遮光用リブによって、操作ボタン内から周囲へ光が漏れないように遮光するようになっていた。
【先行技術文献】
【特許文献】
【０００４】
【特許文献１】特開２００７−１４９６１１号公報
【発明の概要】
【発明が解決しようとする課題】
【０００５】
従来のプッシュ式スイッチ装置は以上のように構成されているので、パネルと操作ボタンに加えて、遮光用リブが形成されたスイッチケースが必要となり、部品点数が増加するという課題があった。部品点数が増加することにより、コストが上昇したり組立工程が複雑になったりする。
【０００６】
この発明は、上記のような課題を解決するためになされたもので、操作スイッチから周囲への光漏れを防止しつつ、従来の構造と比べて部品点数を削減することを目的とする。
【課題を解決するための手段】
【０００７】
この発明に係る電子機器は、嵌合穴が形成されたパネルと、パネルの背面側から嵌合穴に嵌合された状態で、パネルの背面側に設置されたスイッチを操作する方向へ移動可能な操作ボタンと、操作ボタンの前面に形成され、パネルの背面側に設置された光源が発する光を透過させてパネルの前面側に照射する光透過部と、操作ボタンの側面のうち、光源に近い背面側の側面が、パネルに近い前面側の側面より、当該操作ボタンの前面側から見て外側へ突出した形状の段差部と、パネルの背面から突出して先端部が段差部に向かい合い、操作ボタンの側面のうちパネルに近い前面側の側面を被覆する遮光用リブとを備えるものである。
【発明の効果】
【０００８】
この発明によれば、操作ボタンの側面の背面側が前面側より外側へ突出した段差部と、パネルの背面から突出して先端部が段差部に向かい合い、操作ボタンの側面の前面側を被覆する遮光用リブとを備えるようにしたので、操作ボタンと嵌合穴の隙間からの光漏れを防止することができる。また、遮光用リブをパネルに設けたことにより、従来必要であったスイッチケースが不要となり、部品点数を削減することができる。
【図面の簡単な説明】
【０００９】
【図１】この発明の実施の形態１に係る電子機器の一例を示す外観斜視図である。
【図２】実施の形態１に係る電子機器を図１のＡ−Ａ’線に沿って切断した断面図である。
【図３】実施の形態１の操作ボタンの一例を示す外観斜視図である。
【図４】実施の形態１の操作ボタンの一例を示し、図４（ａ）は正面図、図４（ｂ）は右側面図、図４（ｃ）は背面図、図４（ｄ）は底面図である。
【図５】この発明の実施の形態２に係る電子機器を図１のＡ−Ａ’線に沿って切断した断面図である。
【図６】実施の形態２の操作ボタンの一例を示す外観斜視図である。
【図７】実施の形態２の操作ボタンの一例を示す、図７（ａ）は正面図、図７（ｂ）は右側面図、図７（ｃ）は底面図である。
【発明を実施するための形態】
【００１０】
実施の形態１．
図１は、この発明の実施の形態１に係る電子機器１の一例を示す外観斜視図である。実施の形態１では、電子機器１の一例として、ディスク再生装置を示す。ディスク再生装置である電子機器１は、ディスクプレイヤなどが収容された筐体の前面が、意匠用のパネル２になっている。このパネル２には、ディスク挿入口３、ディスプレイ４および操作ボタン２０などが配置されている。
また、実施の形態１では、操作ボタン２０の一例として、電子機器１の電源のオンとオフを切り替える電源ボタンを示す。電源ボタンである操作ボタン２０は、ユーザにより押下されると、この操作ボタン２０の背面側に設置された不図示のスイッチ６を作動させ、電子機器１の電源をオンまたはオフする。
【００１１】
図２は、図１のＡ−Ａ’線に沿って電子機器１を切断した断面図である。図３は、操作ボタン２０の一例を示す外観斜視図である。図４（ａ）は操作ボタン２０の正面図、図４（ｂ）は右側面図、図４（ｃ）は背面図、図４（ｄ）は底面図である。
【００１２】
パネル２は、光が透過しない部材によって構成されている。パネル２の背面側には、基板５が設置されている。基板５のパネル２を向く面であって操作ボタン２０に被覆される部分には、スイッチ６および光源７が実装されている。光源７は、ＬＥＤ（Ｌｉｇｈｔ  Ｅｍｉｔｔｉｎｇ  Ｄｉｏｄｅ）など、光を発するものであれば何でもよい。
【００１３】
操作ボタン２０の操作面である前面には、パネル２の背面側に設置された光源７が発する光を透過させて前面側に照射する光透過部２１が形成されている。図示例では、光透過部２１は、電源ボタンを意味するマークの形状をしているが、その形状は文字または記号など何でもよい。
操作ボタン２０は、光が透過する部材を用いて形成され、光透過部２１を除いた部分が光の透過しない塗料で塗装されることにより、光透過部２１が構成される。あるいは、操作ボタン２０は、光が透過しない樹脂と光が透過する樹脂の二色成形により形成され、光が透過する樹脂によって光透過部２１が構成され、光が透過しない樹脂によって光透過部２１を除いた部分が構成される。
【００１４】
操作ボタン２０の側面のうち、パネル２に近い前面側を側面前部２２と呼び、基板５、スイッチ６および光源７に近い背面側を側面後部２３と呼ぶ。
側面後部２３が側面前部２２より外側へ突出することにより、段差部２４が形成されている。側面後部２３には、操作ボタン２０の移動をガイドする直線状のガイドリブ２５が、１つ以上形成されている。また、側面後部２３には、操作ボタン２０がパネル２から脱落することを防止する脱落防止用爪２６が、１つ以上形成されている。さらに、操作ボタン２０の内部には、スイッチ６を押し込む押し子２７が形成されている。
【００１５】
パネル２には、操作ボタン２０を嵌合させる嵌合穴１０が形成されている。この嵌合穴１０は、操作ボタン２０の操作面である前面との間に隙間ができるように、操作面より大きく形成されている。従って、嵌合穴１０に嵌合した操作ボタン２０は、スイッチ６を操作する方向へ移動可能である。
【００１６】
パネル２の背面には、基板５側へ突出し、操作ボタン２０の側面前部２２を被覆する形状の遮光用リブ１１が形成されている。遮光用リブ１１は、例えば矩形筒状であり、操作ボタン２０の側面前部２２を全周にわたって被覆することが可能である。また、遮光用リブ１１の先端部は、操作ボタン２０の段差部２４に向かい合う。
【００１７】
また、パネル２の背面には、基板５側へ突出し、操作ボタン２０を収容する形状の収容部１２が形成されている。収容部１２には、操作ボタン２０のガイドリブ２５が移動可能に嵌合される直線状のガイドレール１３が形成されている。ガイドレール１３は、収容部１２を貫通するスリットでもよいし、窪みでもよい。また、収容部１２には、操作ボタン２０の脱落防止用爪２６が移動可能に嵌合される直線状の脱落防止用穴１４が形成されている。収容部１２はどのような形状でもよく、少なくともガイドレール１３および脱落防止用穴１４が形成される位置に収容部１２があればよい。
【００１８】
操作ボタン２０は、パネル２の背面側から嵌合穴１０に嵌合されると共に、収容部１２に収容される。操作ボタン２０が嵌合穴１０に嵌合される際、ガイドリブ２５がガイドレール１３に嵌合されると共に、脱落防止用爪２６が脱落防止用穴１４に嵌合される。脱落防止用爪２６が脱落防止用穴１４に嵌合することにより、操作ボタン２０の収容部１２からの脱落が防止される。
【００１９】
図２に示す通常位置にある操作ボタン２０がユーザにより押下されると、操作ボタン２０の移動に伴って押し子２７がスイッチ６を押し込む。ユーザが押下をやめると、スイッチ６の反力により操作ボタン２０がパネル２の前面側に付勢され、図２に示す通常位置へ戻る。なお、スイッチ６の反力ではなく、例えば、パネル２の背面側に設置された図示しないバネなどの付勢部材により、操作ボタン２０がパネル２の前面側へ付勢される構成であってもよい。
操作ボタン２０の移動時、ガイドリブ２５がガイドレール１３内を摺動することにより、操作ボタン２０の移動がガイドされ、がたつきが抑制される。なお、光透過部２１を塗装により形成する場合、ガイドリブ２５が塗装されていると摺動しにくくなるため、ガイドリブ２５は塗装されていないことが望ましい。
また、ユーザが操作ボタン２０を強く押下した場合、脱落防止用爪２６が脱落防止用穴１４の縁に引っ掛かることによりストッパとして機能し、操作ボタン２０の過度の移動が規制される。
【００２０】
光源７が発する光は、操作ボタン２０と基板５の隙間から、または塗装されていないガイドリブ２５等の操作ボタン２０側面から、操作ボタン２０外部へ漏れる。実施の形態１では、遮光用リブ１１の先端部と操作ボタン２０の段差部２４とが向かい合い、隙間がほとんど無いため、操作ボタン２０外部へ漏れた光が遮光される。よって、操作ボタン２０外部へ漏れた光が、操作ボタン２０と嵌合穴１０の隙間からパネル２の前面側へ漏れることを防止できる。
また、側面前部２２から側面後部２３が突出する高さが高いほど、つまり図２に示す段差部２４の高さＢが高いほど、光源７から嵌合穴１０までの光の経路が長くなるため、光漏れの防止効果が向上する。
【００２１】
以上より、実施の形態１に係る電子機器１は、嵌合穴１０が形成されたパネル２と、パネル２の背面側から嵌合穴１０に嵌合された状態で、パネル２の背面側に設置されたスイッチ６を操作する方向へ移動可能な操作ボタン２０と、操作ボタン２０の前面に形成され、パネル２の背面側に設置された光源７が発する光を透過させてパネル２の前面側に照射する光透過部２１と、操作ボタン２０の側面後部２３が側面前部２２より外側へ突出した形状の段差部２４と、パネル２の背面から突出して先端部が段差部２４に向かい合い、操作ボタン２０の側面前部２２を被覆する遮光用リブ１１とを備える構成である。操作ボタン２０に段差部２４を設けると共にパネル２の背面に遮光用リブ１１を設けたことにより、操作ボタン２０と嵌合穴１０の隙間からの光漏れを防止することができる。また、遮光用リブ１１をパネル２に設けたことにより、従来必要であったスイッチケースが不要となり、部品点数を削減することができる。部品点数の削減により、コストの低減および組立工程の簡素化が可能である。
【００２２】
また、実施の形態１に係る電子機器１は、パネル２の背面から突出し、操作ボタン２０を収容する収容部１２と、操作ボタン２０に形成され、操作ボタン２０の移動をガイドするガイドリブ２５と、収容部１２に形成され、ガイドリブ２５が操作ボタン２０の移動方向に移動可能に嵌合されるガイドレール１３とを備える構成である。これにより、操作ボタン２０の移動時のがたつきを規制することができる。
【００２３】
なお、図示例では、操作ボタン２０にガイドリブ２５を形成し、収容部１２にガイドレール１３を形成したが、反対に、操作ボタン２０にガイドレール１３を形成し、収容部１２にガイドリブ２５を形成してもよい。
【００２４】
また、実施の形態１に係る電子機器１は、操作ボタン２０に形成され、操作ボタン２０の収容部１２からの脱落を防止する脱落防止用爪２６と、収容部１２に形成され、脱落防止用爪２６が操作ボタン２０の移動方向に移動可能に嵌合される脱落防止用穴１４とを備える構成である。これにより、嵌合穴１０に嵌合した後の操作ボタン２０の脱落を防止することができる。また、操作ボタン２０が強く押下された場合のストッパ機能を実現することができる。
【００２５】
なお、図示例では、操作ボタン２０に脱落防止用爪２６を形成し、収容部１２に脱落防止用穴１４を形成したが、反対に、操作ボタン２０に脱落防止用穴１４を形成し、収容部１２に脱落防止用爪２６を形成してもよい。図示例では、金型成立性の観点から、操作ボタン２０に脱落防止用爪２６を形成し、収容部１２に脱落防止用穴１４を形成してある。
【００２６】
実施の形態２．
図５は、この発明の実施の形態２に係る電子機器１を、図１のＡ−Ａ’線に沿って切断した断面図である。図６は、実施の形態２の操作ボタン２０ａの一例を示す外観斜視図である。図７（ａ）は操作ボタン２０ａの正面図、図７（ｂ）は右側面図、図７（ｃ）は底面図である。操作ボタン２０ａの背面側の構造は、図４（ｃ）の背面図に示した構造と同じであるため、ここでの図示は省略する。
図５〜図７において、図１〜図４と同一または相当する部分は、同一の符号を付し説明を省略する。
【００２７】
実施の形態２に係る電子機器１において、操作ボタン２０ａは、段差部２４からパネル２に向かって突出する壁部２８を備えている。この壁部２８と側面前部２２とで、遮光用リブ１１を挟み込む構成になっている。壁部２８は、光が透過する部材を用いて形成され、光が透過しない塗料で塗装される。あるいは、操作ボタン２０ａが二色成形により形成されている場合、壁部２８は、光が透過しない樹脂によって構成される。
【００２８】
光源７が発する光は、操作ボタン２０ａと基板５の隙間から、または塗装されていないガイドリブ２５等の操作ボタン２０ａ側面から、操作ボタン２０ａ外部へ漏れる。実施の形態２では、遮光用リブ１１と段差部２４とが向かい合う部分の隙間を、壁部２８が遮るため、操作ボタン２０ａ外部へ漏れた光がより確実に遮光される。よって、操作ボタン２０ａ外部へ漏れた光が、操作ボタン２０ａと嵌合穴１０の隙間からパネル２の前面側へ漏れることをより確実に防止できる。
【００２９】
なお、図示例では、壁部２８と側面後部２３が同じ高さになっており面一の状態であるが、壁部２８より側面後部２３を外側に突出させて、壁部２８より側面後部２３を高くしてもよい。側面後部２３の高さが高いほど、光源７から嵌合穴１０までの光の経路が長くなるため、光漏れの防止効果が向上する。ここで言う側面後部２３の高さとは、図５における紙面左右方向を指す。
また、壁部２８の、段差部２４からパネル２側へ突出する高さＣが高いほど、光源７から嵌合穴１０までの光の経路が長くなるため、光漏れの防止効果が向上する。ここで言う壁部２８の高さＣとは、図５における紙面上下方向を指す。
また、図示例では、壁部２８が段差部２４の全周にわたって形成されているが、その一部が途切れていてもよい。
【００３０】
また、ガイドリブ２５は、側面後部２３から壁部２８へわたって形成されていてもよい。ガイドリブ２５の全長が長くなることにより、操作ボタン２０ａの移動時のがたつきをより規制することができる。
脱落防止用爪２６の形成位置は、側面後部２３でも壁部２８でもよい。
【００３１】
上述した実施の形態１，２の操作ボタン２０，２０ａは、段差部２４を形成するために側面後部２３より側面前部２２が小さくなっている必要があるため、パネル２から露出される操作面が小さい仕様条件の操作ボタンに対して特に有用である。
また、操作ボタン２０，２０ａの背面側に、従来のような遮光用のスイッチケースを設けると照明範囲が小さくなるため、操作面に対して光透過部２１が大きく設定されていると照明が成立しない場合がある。これに対し、実施の形態１，２では、操作ボタン２０，２０ａの内部全体を照射するため、操作面に対して光透過部２１が大きくても、照明の成立性に影響がない。そのため、操作面に対して光透過部２１が大きく設定されている仕様条件の操作ボタンに対して特に有用である。
さらに、操作ボタン２０，２０ａの側面全周に段差部２４を形成して遮光用リブ１１で被覆するため、操作ボタンが単独で存在しているデザイン、または操作ボタン同士が離れて存在しているデザインなどに適する。
【００３２】
なお、本発明はその発明の範囲内において、各実施の形態の自由な組み合わせ、各実施の形態の任意の構成要素の変形、または各実施の形態の任意の構成要素の省略が可能である。
【符号の説明】
【００３３】
１  電子機器、２  パネル、３  ディスク挿入口、４  ディスプレイ、５  基板、６  スイッチ、７  光源、１０  嵌合穴、１１  遮光用リブ、１２  収容部、１３  ガイドレール、１４  脱落防止用穴、２０，２０ａ  操作ボタン、２１  光透過部、２２  側面前部、２３  側面後部、２４  段差部、２５  ガイドリブ、２６  脱落防止用爪、２７  押し子、２８  壁部。
【図１】
0006590625.tif 000002
【図２】
0006590625.tif 000003
【図３】
0006590625.tif 000004
【図４】
0006590625.tif 000005
【図５】
0006590625.tif 000006
【図６】
0006590625.tif 000007
【図７】
0006590625.tif 000008